(57)【要約】【課題】加熱調理器と外部端末を備える通信システムにおいて、加熱調理器が電池切れを生じる前に、電池の交換が必要であることを使用者に報知することが可能な技術を提供する。【解決手段】本明細書が開示する通信システムは、加熱調理器と、前記加熱調理器と通信可能な外部端末を備えていてもよい。前記加熱調理器は、電池と、前記電池の電池残量を検出可能な電池残量検出部を備えていてもよい。前記通信システムは、前記電池残量検出部が検出した前記電池残量が第１しきい値以下の場合に、前記電池残量の低下を示す電池残量低下情報を生成してもよい。前記外部端末は、前記電池残量低下情報に応じて、前記電池の交換に関連する電池交換関連情報を報知してもよい。【選択図】図９
2020112319.tif 000002
【特許請求の範囲】
【請求項１】
加熱調理器と、前記加熱調理器と通信可能な外部端末を備える通信システムであって、
前記加熱調理器は、
電池と、
前記電池の電池残量を検出可能な電池残量検出部を備えており、
前記通信システムは、前記電池残量検出部が検出した前記電池残量が第１しきい値以下の場合に、前記電池残量の低下を示す電池残量低下情報を生成し、
前記外部端末は、前記電池残量低下情報に応じて、前記電池の交換に関連する電池交換関連情報を報知する、通信システム。
【請求項２】
前記通信システムは、前記電池残量低下情報を生成した後に、前記電池残量検出部が検出した前記電池残量が前記第１しきい値よりも高い第２しきい値以上の場合に、前記電池残量の回復を示す電池残量回復情報を生成し、
前記外部端末は、前記電池残量回復情報に応じて、前記電池交換関連情報の報知を終了する、請求項１の通信システム。
【請求項３】
前記外部端末は、前記電池残量回復情報に応じて、前記電池交換関連情報の報知を終了した場合に、交換後の前記電池の情報に基づいて、推定される次回の電池交換時期に関連する電池交換時期関連情報を報知する、請求項２の通信システム。
【請求項４】
前記電池交換関連情報は、前記加熱調理器で使用する前記電池の規格および個数に関する情報を含む、請求項１から３の何れか一項の通信システム。
【請求項５】
加熱調理器と通信可能な外部端末において実行されるプログラムであって、
前記加熱調理器は、電池と、前記電池の電池残量を検出可能な電池残量検出部を備えており、
前記プログラムは、前記外部端末のコンピュータに、
前記電池残量の低下を示す電池残量低下情報に応じて、前記電池の交換に関連する電池交換関連情報を報知する処理を実行させる、プログラム。
【発明の詳細な説明】
【技術分野】
【０００１】
本明細書に開示の技術は、通信システムおよびプログラムに関する。
【背景技術】
【０００２】
特許文献１には、加熱調理器と、前記加熱調理器と通信可能な外部端末を備える通信システムが開示されている。
【先行技術文献】
【特許文献】
【０００３】
【特許文献１】特開２００５−３４１０８０号公報
【発明の概要】
【発明が解決しようとする課題】
【０００４】
加熱調理器が、商用電力系統からの電力供給ではなく、乾電池や充電池などの電池からの電力供給によって動作することがある。このような構成では、電池残量が低減して電池切れを生じてしまうと、加熱調理器を動作させることができなくなってしまう。本明細書では、加熱調理器と外部端末を備える通信システムにおいて、加熱調理器が電池切れを生じる前に、電池の交換が必要であることを使用者に報知することが可能な技術を提供する。
【課題を解決するための手段】
【０００５】
本明細書が開示する通信システムは、加熱調理器と、前記加熱調理器と通信可能な外部端末を備えていてもよい。前記加熱調理器は、電池と、前記電池の電池残量を検出可能な電池残量検出部を備えていてもよい。前記通信システムは、前記電池残量検出部が検出した前記電池残量が第１しきい値以下の場合に、前記電池残量の低下を示す電池残量低下情報を生成してもよい。前記外部端末は、前記電池残量低下情報に応じて、前記電池の交換に関連する電池交換関連情報を報知してもよい。
【０００６】
上記の構成によれば、加熱調理器の電池残量が第１しきい値以下になった時点で、加熱調理器の電池の交換が必要であることを、外部端末を介して使用者に報知することができる。加熱調理器が電池切れを生じる前に、電池の交換が必要であることを使用者に報知することができる。
【０００７】
前記通信システムは、前記電池残量低下情報を生成した後に、前記電池残量検出部が検出した前記電池残量が前記第１しきい値よりも高い第２しきい値以上の場合に、前記電池残量の回復を示す電池残量回復情報を生成してもよい。前記外部端末は、前記電池残量回復情報に応じて、前記電池交換関連情報の報知を終了してもよい。
【０００８】
上記の構成によれば、加熱調理器の電池の交換が行われて、電池残量が回復した場合に、電池の交換が必要であることの報知を自動的に終了させることができる。
【０００９】
前記外部端末は、前記電池残量回復情報に応じて、前記電池交換関連情報の報知を終了した場合に、交換後の前記電池の情報に基づいて、推定される次回の電池交換時期に関連する電池交換時期関連情報を報知してもよい。
【００１０】
加熱調理器の電池として、同じ規格のものを同じ個数用いる場合であっても、電池の製造業者や規格の一部である製品種別（例えばアルカリ乾電池、マンガン乾電池・・・）が異なると、電池の寿命も異なるため、次回の電池交換時期は異なるものとなる。上記の構成によれば、交換後の電池の情報、例えば電池の製造業者や規格の一部である製品種別に基づいて、次回の電池交換時期を推定し、推定される次回の電池交換時期を使用者に報知するので、使用者の利便性を向上することができる。
【００１１】
前記電池交換関連情報は、前記加熱調理器で使用する前記電池の規格および個数に関する情報を含んでもよい。
【００１２】
上記の構成によれば、使用者は加熱調理器の電池の交換のために、どの規格（例えば単１形、単２形、・・・）の電池を何個用意すればよいのか、容易に把握することができる。使用者の利便性を向上することができる。
【００１３】
本明細書はプログラムも開示する。前記プログラムは、加熱調理器と通信可能な外部端末において実行されてもよい。前記加熱調理器は、電池と、前記電池の電池残量を検出可能な電池残量検出部を備えていてもよい。前記プログラムは、前記外部端末のコンピュータに、前記電池残量の低下を示す電池残量低下情報に応じて、前記電池の交換に関連する電池交換関連情報を報知する処理を実行させてもよい。
【００１４】
上記の構成によれば、加熱調理器が電池切れを生じる前に、電池の交換が必要であることを使用者に報知することができる。
【図面の簡単な説明】
【００１５】
【図１】実施例に係る通信システム１の構成を示す図である。
【図２】実施例に係る加熱調理器２の外観を示す斜視図である。
【図３】実施例に係る加熱調理器２の構成を模式的に示すブロック図である。
【図４】実施例に係る携帯端末１００の構成を模式的に示すブロック図である。
【図５】実施例に係る給湯リモコン２００の構成を模式的に示すブロック図である。
【図６】実施例に係る管理サーバ３００、レシピサーバ５００、アプリサーバ６００の構成を模式的に示すブロック図である。
【図７】実施例の加熱調理器２が行う処理の例を示すフローチャートである。
【図８】実施例の携帯端末１００が行う処理の例を示すフローチャートである。
【図９】実施例の携帯端末１００の表示部１０２の表示の例を示す図である。
【発明を実施するための形態】
【００１６】
（実施例）
（通信システム１の構成）
図１を参照して、通信システム１について説明する。通信システム１は、加熱調理器２と、携帯端末１００と、給湯リモコン２００と、管理サーバ３００と、レシピサーバ５００と、アプリサーバ６００を備えている。
【００１７】
加熱調理器２と携帯端末１００は、Ｂｌｕｅｔｏｏｔｈ（登録商標）方式に従ったＢｌｕｅｔｏｏｔｈ（以下では、「ＢＴ」と記載する。）通信を介して、互いに通信可能である。また、加熱調理器２と給湯リモコン２００は、ＢＴ通信を介して、互いに通信可能である。携帯端末１００と、給湯リモコン２００は、それぞれ、Ｗｉ−Ｆｉ（登録商標）方式に従ったＷｉ−Ｆｉ通信を実行して、インターネット７００に接続可能である。管理サーバ３００と、レシピサーバ５００と、アプリサーバ６００は、それぞれ、インターネット７００に接続されている。
【００１８】
加熱調理器２は、機器製造会社によって製造され、機器販売会社から使用者に対して販売されている。管理サーバ３００とレシピサーバ５００は、機器製造会社によって管理されている。携帯端末１００は、携帯端末提供会社から、使用者に対して販売されている。アプリサーバ６００は、携帯端末提供会社によって管理されている。給湯リモコン２００は、機器製造会社によって製造され、機器販売会社から使用者に対して販売されている給湯機器（図示せず）のリモコンである。
【００１９】
（加熱調理器２の構成）
図２、図３に示すように、加熱調理器２は、システムキッチンに組み込んで使用されるガス燃焼式のビルトインコンロである。図２に示すように、加熱調理器２は、前面４ａがシステムキッチンの手前側に露出する本体４と、本体４の上部に配置されており、システムキッチンのカウンタトップに露出する天板６と、を備えている。天板６には、加熱対象物である鍋やフライパン等の調理容器を支持する３つの五徳８ａ，８ｂ，８ｃと、それぞれの五徳８ａ，８ｂ，８ｃに対応して設けられており、それぞれの五徳８ａ，８ｂ，８ｃに支持された加熱対象物を加熱する３つのコンロバーナ１０ａ，１０ｂ，１０ｃと、それぞれのコンロバーナ１０ａ，１０ｂ，１０ｃに対応して設けられている温度センサ１２ａ，１２ｂ，１２ｃと、が設けられている。コンロバーナ１０ａには、ガス供給路（図示省略）が接続されている。ガス供給路には、コンロバーナ１０ａへのガスの供給量を調整するための流量調整弁（図示省略）が設けられている。コンロバーナ１０ａは、コンロバーナ１０ａにガスが供給されている状態でイグナイタ（図示省略）を動作させることで点火する。コンロバーナ１０ａへのガスの供給量を調整することで、コンロバーナ１０ａの加熱量を調整することができる。コンロバーナ１０ａへのガスの供給を停止することで、コンロバーナ１０ａを消火することができる。コンロバーナ１０ｂ、１０ｃは、コンロバーナ１０ａと同様の構造を有する。温度センサ１２ａ，１２ｂ，１２ｃは、五徳８ａ，８ｂ，８ｃに支持される加熱対象物の存在を検出するとともに、加熱対象物の底の温度を検出する。
【００２０】
本体４は、本体４の内部に設けられて食材を収容するグリル庫２０と、本体４の前面４ａに配置されてグリル庫２０を開閉するグリル扉２２と、本体４の前面４ａにおいてグリル扉２２の右側に設けられたコンロ操作部２４と、本体４の前面４ａにおいてグリル扉２２の左側に設けられたグリル操作部２６と、を備えている。なお、グリル庫２０の内部には、グリル庫２０内に収容した食材を加熱するグリルバーナ２１（図３参照）が設けられている。
【００２１】
コンロ操作部２４は、加熱調理器２の電源スイッチ４０と、３つの加熱量操作部４２ａ，４２ｂ，４２ｃと、パネル操作部４４と、を備える。加熱量操作部４２ａ，４２ｂ，４２ｃは、それぞれ、コンロバーナ１０ａ，１０ｂ，１０ｃに対応する。加熱量操作部４２ａ，４２ｂ，４２ｃは、コンロバーナ１０ａ，１０ｂ，１０ｃの点火及び消火を行うとともに、コンロバーナ１０ａ，１０ｂ，１０ｃの加熱量の調整を行うための操作部である。
【００２２】
パネル操作部４４は、コンロ表示部４６と、コンロ設定操作部４８ａ、４８ｂ、４８ｃと、を備える。コンロ表示部４６には、各コンロバーナ１０ａ、１０ｂ、１０ｃの動作状態などが表示される。使用者は、コンロ設定操作部４８ａ、４８ｂ、４８ｃを操作することで、コンロバーナ１０ａ、１０ｂ、１０ｃによって加熱される加熱対象物の温度の設定や自動調理の設定などをすることができる。
【００２３】
グリル操作部２６は、加熱量操作部６０と、パネル操作部６２と、を備える。使用者は、加熱量操作部６０を操作することによって、グリルバーナ２１の点火及び消火を行うとともに、グリルバーナ２１の加熱量の調整を行うことができる。
【００２４】
パネル操作部６２は、グリル表示部６４と、グリル設定操作部６６と、を備える。グリル表示部６４には、グリルバーナ２１の動作状態などが表示される。使用者は、グリル設定操作部６６を操作することで、グリルバーナ２１によって加熱される加熱対象物の温度の設定や自動調理の設定などをすることができる。
【００２５】
図３に示すように、加熱調理器２はさらに、乾電池６８と、電池残量検出部７０と、ＢＴＩ／Ｆ（インタフェースの略）７２と、制御部８０と、を備える。なお、図３では、図示の明瞭化のために、コンロバーナ１０ｂ、１０ｃ、温度センサ１２ｂ、１２ｃ、加熱量操作部４２ｂ、４２ｃ、コンロ設定操作部４８ｂ、４８ｃの図示を省略している。乾電池６８は、加熱調理器２の各電子部品に電力を供給する。電池残量検出部７０は、乾電池６８の電池残量を示す指標となる物理量を検出する。本実施例では、電池残量検出部７０は、乾電池６８の電池残量を示す指標として、乾電池６８の端子電圧を検出する。ＢＴＩ／Ｆ７２は、外部機器とのＢＴ通信を実行するための無線Ｉ／Ｆである。加熱調理器２は、ＢＴＩ／Ｆ７２を介して、携帯端末１００及び給湯リモコン２００とＢＴ通信を実行可能である。
【００２６】
制御部８０は、加熱調理器２の動作を制御する。制御部８０は、不揮発性のメモリ８２を備える。制御部８０は、メモリ８２に格納されているメインプログラムに従って、加熱調理器２の動作を制御する。また、メモリ８２には、加熱調理器２の型式情報、加熱調理器２の使用者を示す使用者情報、加熱調理器２の使用開始時期や使用回数、各種の動作モードの使用頻度を示す運転情報、エラー履歴を示すエラー情報、乾電池６８の電池残量を示す電池残量情報等を格納している。さらに、メモリ８２には、レシピデータを格納可能である。制御部８０は、自動調理を実行する際に、メモリ８２に格納されたレシピデータに従って、コンロバーナ１０ａ，１０ｂ，１０ｃやグリルバーナ２１等の動作を制御する。また、メモリ８２には、乾電池６８の電池残量が低下したか否かの判定結果を示す電池残量低下フラグを格納している。
【００２７】
（携帯端末１００の構成）
携帯端末１００は、携帯電話、スマートフォン等の可搬型の端末装置である。図４に示すように、携帯端末１００は、表示部１０２と、操作部１０４と、ＢＴＩ／Ｆ１０６と、Ｗｉ−ＦｉＩ／Ｆ１０８と、制御部１１０と、を備える。表示部１０２は、様々な情報を表示するためのディスプレイである。表示部１０２は、いわゆるタッチパネル（即ち操作部１０４）として機能してもよい。操作部１０４は、複数のキーを備える。使用者は、操作部１０４を操作することによって、様々な指示を携帯端末１００に入力することができる。ＢＴＩ／Ｆ１０６は、外部機器とのＢＴ通信を実行するための無線Ｉ／Ｆである。携帯端末１００は、ＢＴＩ／Ｆ１０６を介して、加熱調理器２とＢＴ通信を実行可能である。Ｗｉ−ＦｉＩ／Ｆ１０８は、外部機器とのＷｉ−Ｆｉ通信を実行するための無線Ｉ／Ｆである。携帯端末１００は、Ｗｉ−ＦｉＩ／Ｆ１０８を介して、インターネット７００に接続されたＷｉ−Ｆｉルータ８００と通信可能である。なお、携帯端末１００が携帯電話通信網（図示せず）と通信可能な携帯電話通信Ｉ／Ｆ（図示せず）を備えている場合、携帯端末１００は、Ｗｉ−Ｆｉルータ８００を介さずに、携帯電話通信網を介してインターネット７００に接続可能であってもよい。制御部１１０は、携帯端末１００の動作を制御する。制御部１１０は、不揮発性のメモリ１１２を備える。メモリ１１２には、アプリケーションプログラム（アプリ）が格納可能である。制御部１１０は、メモリ１１２に格納されたアプリを実行可能である。
【００２８】
（給湯リモコン２００の構成）
給湯リモコン２００は、加熱調理器２が組み込まれたシステムキッチンの近傍の壁面に据え付けられており、使用者に給湯機器の情報を提示するとともに、使用者からの給湯機器への操作入力を受け入れるリモコンである。図５に示すように、給湯リモコン２００は、表示部２０２と、操作部２０４と、ＢＴＩ／Ｆ２０６と、Ｗｉ−ＦｉＩ／Ｆ２０８と、制御部２１０と、を備える。表示部２０２は、様々な情報を表示するためのディスプレイである。操作部２０４は、複数のキーを備える。使用者は、操作部２０４を操作することによって、様々な指示を給湯リモコン２００に入力することができる。ＢＴＩ／Ｆ２０６は、外部機器とのＢＴ通信を実行するための無線Ｉ／Ｆである。給湯リモコン２００は、ＢＴＩ／Ｆ２０６を介して、加熱調理器２とＢＴ通信を実行可能である。Ｗｉ−ＦｉＩ／Ｆ２０８は、外部機器とのＷｉ−Ｆｉ通信を実行するための無線Ｉ／Ｆである。給湯リモコン２００は、Ｗｉ−ＦｉＩ／Ｆ２０８を介して、インターネット７００に接続されたＷｉ−Ｆｉルータ８００と通信可能である。制御部２１０は、給湯リモコン２００の動作を制御する。制御部２１０は、不揮発性のメモリ２１２を備える。
【００２９】
（管理サーバ３００の構成）
図６に示す管理サーバ３００は、加熱調理器２の機器情報を収集するためのサーバ装置である。管理サーバ３００は、制御部３１０と、記憶部３２０を備えている。制御部３１０は、加熱調理器２から型式情報、使用者情報、運転情報、エラー情報、電池残量情報等の機器情報を受信すると、記憶部３２０に格納する。
【００３０】
（レシピサーバ５００の構成）
レシピサーバ５００は、加熱調理器２にレシピデータを提供するためのサーバ装置である。レシピサーバ５００は、制御部５１０と、記憶部５２０を備えている。記憶部５２０には、加熱調理器２で実行可能な自動調理に対応する複数のレシピデータが格納されている。制御部５１０は、携帯端末１００または給湯リモコン２００から、加熱調理器２に対するレシピデータのダウンロード要求を受信すると、記憶部５２０に格納されているレシピデータの中から指定されたレシピデータを加熱調理器２に送信する。なお、レシピサーバ５００から加熱調理器２へのレシピデータの送信は、携帯端末１００を介して行ってもよいし、給湯リモコン２００を介して行ってもよい。
【００３１】
（アプリサーバ６００の構成）
アプリサーバ６００は、携帯端末１００にアプリを提供するためのサーバ装置である。アプリサーバ６００は、制御部６１０と、記憶部６２０を備えている。記憶部６２０には、加熱調理器アプリを含む、複数のアプリが格納されている。制御部６１０は、携帯端末１００からアプリのダウンロード要求があると、記憶部６２０に格納されたアプリの中から指定されたアプリを携帯端末１００に送信する。
【００３２】
加熱調理器アプリは、加熱調理器２の機器製造会社によって提供されており、加熱調理器２と携帯端末１００を連携動作させるためのアプリである。携帯端末１００が加熱調理器アプリを実行すると、携帯端末１００は加熱調理器２から機器情報を取得して、取得された機器情報を管理サーバ３００に送信する。また、携帯端末１００が加熱調理器アプリを実行している時に、使用者がダウンロードしたいレシピデータを携帯端末１００で選択すると、携帯端末１００はレシピサーバ５００に加熱調理器２に対するレシピデータのダウンロード要求を送信して、レシピサーバ５００から加熱調理器２にレシピデータを送信させる。
【００３３】
図１の通信システム１では、携帯端末１００と加熱調理器２の間でＢＴ通信が確立していない場合や、携帯端末１００が加熱調理器アプリを実行していない場合でも、給湯リモコン２００と加熱調理器２の間でＢＴ通信が確立していれば、加熱調理器２から給湯リモコン２００を介して管理サーバ３００に機器情報を送信することができる。この場合、使用者が給湯リモコン２００に機器情報の送信指示を入力すると、給湯リモコン２００が、加熱調理器２から機器情報を取得する。そして、給湯リモコン２００は、取得された機器情報を管理サーバ３００に送信する。また、携帯端末１００と加熱調理器２の間でＢＴ通信が確立していない場合でも、給湯リモコン２００と加熱調理器２の間でＢＴ通信が確立しており、かつ携帯端末１００が加熱調理器アプリを実行している場合には、給湯リモコン２００と管理サーバ３００を介して、携帯端末１００と加熱調理器２の間で種々のデータの送受信を行うことができる。
【００３４】
（加熱調理器２の電池残量判定処理）
以下では図７を参照して、加熱調理器２の乾電池６８の電池残量の低下を判定する処理について説明する。加熱調理器２の制御部８０は、電源スイッチ４０が操作されて電源がＯＮになると、図７の処理を実行する。
【００３５】
Ｓ２では、制御部８０は、メモリ８２に格納されている電池残量低下フラグがＯＦＦであるか否かを判断する。電池残量低下フラグは、例えば乾電池６８が新品に交換された直後はＯＦＦに設定されている。電池残量低下フラグがＯＦＦである場合（ＹＥＳの場合）、処理はＳ４へ進む。
【００３６】
Ｓ４では、制御部８０は、電池残量検出部７０によって、乾電池６８の電池残量を検出する。
【００３７】
Ｓ６では、制御部８０は、Ｓ４で検出された乾電池６８の電池残量が、第１しきい値以下であるか否かを判断する。第１しきい値は、ユーザに乾電池６８の交換を促す電池残量として設定されている。乾電池６８の電池残量が第１しきい値を超えている場合（ＮＯの場合）、処理はＳ１６へ進む。乾電池６８の電池残量が第１しきい値以下の場合（ＹＥＳの場合）、処理はＳ８へ進む。なお、乾電池６８の電池残量が第１しきい値以下の場合（ＹＥＳの場合）、処理はＳ２へ戻ってもよい。
【００３８】
Ｓ８では、制御部８０は、メモリ８２に格納されている電池残量低下フラグをＯＮに設定する。Ｓ８の後、処理はＳ１６へ進む。
【００３９】
Ｓ２で、電池残量低下フラグがＯＮである場合（ＮＯの場合）、処理はＳ１０へ進む。
【００４０】
Ｓ１０では、制御部８０は、電池残量検出部７０によって、乾電池６８の電池残量を検出する。
【００４１】
Ｓ１２では、制御部８０は、Ｓ１０で検出された乾電池６８の電池残量が、第２しきい値以上である否かを判断する。第２しきい値は、当面は乾電池６８の交換が不要である電池残量として設定されている。第２しきい値は第１しきい値よりも高い値に設定されている。乾電池６８の電池残量が第２しきい値に満たない場合（ＮＯの場合）、処理はＳ１６へ進む。乾電池６８の電池残量が第２しきい値以上の場合（ＹＥＳの場合）、処理はＳ１４へ進む。なお、乾電池６８の電池残量が第２しきい値以上の場合（ＹＥＳの場合）、処理はＳ２へ戻ってもよい。 
【００４２】
Ｓ１４では、制御部８０は、メモリ８２に格納されている電池残量低下フラグをＯＦＦに設定する。Ｓ１４の後、処理はＳ１６へ進む。
【００４３】
Ｓ１６では、制御部８０は、電池残量関連情報として、加熱調理器２の型式情報と、電池残量低下フラグの内容（ＯＮまたはＯＦＦ）を、携帯端末１００に送信する。Ｓ１６の後、処理はＳ２へ戻る。なお、Ｓ１６において、電池残量低下フラグがＯＦＦの場合には、制御部８０は、電池残量関連情報として、加熱調理器２の型式情報を送信することなく、電池残量低下フラグの内容（ＯＦＦ）のみを、携帯端末１００に送信してもよい。また、Ｓ１６において、電池残量低下フラグがＯＮの場合でも、以前に加熱調理器２の型式情報を携帯端末１００に送信しており、携帯端末１００が加熱調理器２の型式情報を記憶している場合には、制御部８０は、電池残量関連情報として、加熱調理器２の型式情報を送信することなく、電池残量低下フラグの内容（ＯＮ）のみを、携帯端末１００に送信してもよい。
【００４４】
制御部８０が図７の処理を実行することによって、加熱調理器２は、乾電池６８の電池残量を電池残量検出部７０によって検出し、メモリ８２に格納されている電池残量低下フラグの内容を更新し、電池残量低下フラグの内容を携帯端末１００に送信する一連の動作を、定期的に実行する。例えば、乾電池６８が新品に交換された直後の場合は、電池残量低下フラグはＯＦＦとなり、携帯端末１００に電池残量低下フラグがＯＦＦであることが送信される。その後、乾電池６８の電池残量が低下し、第１しきい値以下となると、電池残量低下フラグはＯＮとなり、携帯端末１００に加熱調理器２の型式情報とともに、電池残量低下フラグがＯＮであることが送信される。その後、乾電池６８が新品に交換されて、乾電池６８の電池残量が第２しきい値以上となると、電池残量低下フラグは再びＯＦＦとなり、携帯端末１００に電池残量低下フラグがＯＦＦであることが送信される。電池残量低下フラグがＯＮの場合に加熱調理器２から携帯端末１００に送信される電池残量関連情報は、乾電池６８の電池残量が低下したことを示す電池残量低下情報ということができ、電池残量低下フラグがＯＦＦの場合に加熱調理器２から携帯端末１００に送信される電池残量関連情報は、乾電池６８の電池残量が回復したことを示す電池残量回復情報ということができる。
【００４５】
（携帯端末１００の電池交換報知処理）
以下では図８を参照して、加熱調理器２の乾電池６８の電池交換が必要であることを、携帯端末１００で報知する処理について説明する。携帯端末１００の制御部１１０は、加熱調理器アプリが実行されている場合に、図８の処理を実行する。
【００４６】
Ｓ２２では、制御部１１０は、加熱調理器２から、電池残量関連情報を受信したか否かを判断する。電池残量関連情報を受信しない場合（ＮＯの場合）、処理はＳ２２へ戻る。電池残量関連情報を受信した場合（ＹＥＳの場合）、処理はＳ２４へ進む。
【００４７】
Ｓ２４では、制御部１１０は、電池残量低下フラグがＯＮであるか否かを判断する。電池残量低下フラグがＯＦＦである場合（ＮＯの場合）、処理はＳ２２へ戻る。電池残量低下フラグがＯＮである場合（ＹＥＳの場合）、処理はＳ２６へ進む。
【００４８】
Ｓ２６では、制御部１１０は、加熱調理器２の型式情報に基づいて、加熱調理器２で使用されている乾電池６８の規格（例えば単１形、単２形、・・・）および個数を特定する。
【００４９】
Ｓ２８では、制御部１１０は、電池交換で必要となる乾電池６８の情報として、Ｓ２６で特定された乾電池６８の規格および個数に関する情報を、使用者に報知する。Ｓ２８の後、処理はＳ３０へ進む。
【００５０】
図９は、携帯端末１００が加熱調理器アプリを実行している場合の、表示部１０２の表示の例を示している。図９の（ａ）、（ｂ）に示すように、加熱調理器アプリの実行時には、加熱調理器２で実行可能な自動調理のメニューそれぞれについて、必要な材料や作り方の手順を表示部１０２に表示することができる。この際に、使用者がそのメニューで必要な材料を買い物リストへ追加する操作を行うことで、図９の（ｃ）に示すように、買い物リストにその材料が追加される。使用者は、買い物リストを確認しながら買い物をすることによって、自動調理のメニューに必要な材料を忘れることなく購入することができる。
【００５１】
図８のＳ２８の処理では、例えば、図９の（ｃ）に示すように、買い物リストの末尾に、加熱調理器２の電池交換で必要となる乾電池６８の規格および個数に関する情報を、自動的に追加する。これによって、使用者は、買い物リストを確認しながら買い物をする際に、加熱調理器２の電池交換に必要となる乾電池６８を忘れることなく購入することができる。
【００５２】
図８のＳ３０では、制御部１１０は、加熱調理器２から、電池残量関連情報を受信したか否かを判断する。電池残量関連情報を受信しない場合（ＮＯの場合）、処理はＳ３０へ戻る。電池残量関連情報を受信した場合（ＹＥＳの場合）、処理はＳ３２へ進む。
【００５３】
Ｓ３２では、制御部１１０は、電池残量低下フラグがＯＦＦであるか否かを判断する。電池残量低下フラグがＯＮである場合（ＮＯの場合）、加熱調理器２の電池交換が未だ行われていないと判断して、処理はＳ３０へ戻る。電池残量低下フラグがＯＦＦである場合（ＹＥＳの場合）、加熱調理器２の電池交換が既に行われたと判断して、処理はＳ３４へ進む。
【００５４】
Ｓ３４では、制御部１１０は、Ｓ２８で実行した乾電池６８の規格および個数に関する情報の使用者への報知を終了する。例えば、図９の（ｃ）に示すように、買い物リストに乾電池６８の規格および個数に関する情報を追加していた場合には、乾電池６８の規格および個数に関する情報を買い物リストから削除する。
【００５５】
Ｓ３６では、制御部１１０は、交換後の乾電池６８の情報を特定する。例えば、制御部１１０は、交換後の乾電池６８の製造業者、製品種別（例えばアルカリ乾電池、マンガン乾電池等）の入力を促す表示を表示部１０２に行い、使用者が操作部１０４を介して乾電池６８の製造業者、製品種別を入力することによって、交換後の乾電池６８の情報を特定してもよい。あるいは、携帯端末１００が画像を撮像可能なカメラを備えている場合には、交換後の乾電池６８を撮像した画像や、交換後の乾電池６８の製造業者、製品種別を判別可能なバーコードを撮像した画像を取得し、画像認識によって交換後の乾電池６８の製造業者、製品種別を特定してもよい。
【００５６】
Ｓ３８では、制御部１１０は、交換後の乾電池６８の情報に基づいて、次の電池交換時期を推定する。交換後の乾電池６８の寿命は、その乾電池６８の製造業者や製品種別に応じて異なる。制御部１１０は、例えば、乾電池６８の製造業者、製品種別と、その乾電池６８を加熱調理器２で使用した場合の電池交換時期の対応関係を示すテーブルを予め記憶しておくことで、交換後の乾電池６８の製造業者、製品種別に基づいて、次の電池交換時期を特定することができる。あるいは、制御部１１０は、乾電池６８の製造業者、製品種別と、その乾電池６８を加熱調理器２で使用した場合の電池交換時期の対応関係を示すテーブルを、管理サーバ３００からその都度ダウンロードして、交換後の乾電池６８の製造業者、製品種別に基づいて、次の電池交換時期を特定してもよい。あるいは、制御部１１０は、交換後の乾電池６８と同じ製造業者、製品種別の乾電池６８を加熱調理器２で使用した過去の実績に基づいて、次の電池交換時期を特定してもよい。
【００５７】
Ｓ４０では、制御部１１０は、Ｓ３８で推定された乾電池６８の次の電池交換時期を、使用者に報知する。Ｓ４０の後、処理はＳ２２へ戻る。
【００５８】
なお、図８の処理において、Ｓ３６、Ｓ３８、Ｓ４０の処理は行わなくてもよい。この場合、Ｓ３４の後、処理はＳ２２へ戻る。
【００５９】
上記の実施例では、加熱調理器２の乾電池６８の電池残量が低下した場合に、携帯端末１００が、電池交換で必要となる乾電池６８の規格および個数の情報を、加熱調理器アプリで表示される買い物リストに追加することで、使用者に報知する場合について説明した。これとは異なり、携帯端末１００は、電池交換で必要となる乾電池６８の規格および個数の情報を、加熱調理器アプリとは異なるアプリ（例えば、メモ機能を有するアプリや、リマインダ機能を有するアプリ）に登録することによって、使用者に報知する構成としてもよい。
【００６０】
上記の実施例では、加熱調理器２の乾電池６８（例えば単１形２個）が、加熱調理器２の全ての電子部品に共通して電力を供給する場合について説明した。これとは異なり、加熱調理器２の乾電池６８が、加熱調理器２の一部の電子部品（例えばコンロ表示部４６、グリル表示部６４等の液晶表示部品）に電力を供給する乾電池６８’（例えば単３形４個）と、加熱調理器２の残余の電子部品に電力を供給する乾電池６８’’（例えば単１形２個）を備える構成としてもよい。この場合、加熱調理器２の電池残量検出部７０は、乾電池６８’と乾電池６８’’のそれぞれについて電池残量を検出する。また、加熱調理器２の制御部８０は、乾電池６８’と乾電池６８’’のそれぞれに対応して、図７の処理を実行し、携帯端末１００の制御部１１０は、乾電池６８’と乾電池６８’’のそれぞれに対応して、図８の処理を実行する。このような構成とすることによって、乾電池６８’と乾電池６８’’のそれぞれについて、電池交換が必要となった場合に使用者に報知することができる。
【００６１】
上記の実施例では、加熱調理器２が乾電池６８から電力を供給される構成について説明したが、加熱調理器２は乾電池６８以外の電池、例えば再充電可能な充電池から電力を供給される構成としてもよい。
【００６２】
上記の実施例において、図８の処理の一部を、携帯端末１００の代わりに、管理サーバ３００が行ってもよい。例えば、図８のＳ３８の処理を、携帯端末１００の制御部１１０が行う代わりに、管理サーバ３００の制御部３１０が行ってもよい。この場合、制御部３１０は、携帯端末１００から交換後の乾電池６８の情報と加熱調理器２の型式情報を受信し、交換後の乾電池６８の製造業者、製品種別に基づいて、加熱調理器２における次の電池交換時期を特定し、特定された次の電池交換時期を示す情報を携帯端末１００に送信する。このような構成とすることで、携帯端末１００の制御部１１０が行う処理の負荷を軽減することができる。また、このような構成とすると、乾電池６８の製造業者、製品種別と、その乾電池６８を加熱調理器２で使用した場合の電池交換時期の対応関係を示すテーブルを携帯端末１００のメモリ１１２に予め記憶しておく必要がないので、メモリ１１２の記憶容量の圧迫を防止することができる。さらに、乾電池６８の製造業者、製品種別と、その乾電池６８を加熱調理器２で使用した場合の電池交換時期の対応関係を示すテーブルを管理サーバ３００の記憶部３２０に格納しておくことで、例えば加熱調理器２の型式情報を新たに追加したり、乾電池６８の製造業者や製品種別を新たに追加するなど、上記の対応関係を示すテーブルの更新作業を、管理サーバ３００を管理する機器製造会社で一括して行うことができる。
【００６３】
上記の実施例では、加熱調理器２の制御部８０が、乾電池６８の電池残量が第１しきい値以下である場合に、電池残量低下フラグをＯＮに設定し、乾電池６８の電池残量が第２しきい値以上である場合に、電池残量低下フラグをＯＦＦに設定し、電池残量低下フラグの内容を携帯端末１００に送信する構成について説明した。これとは異なり、加熱調理器２の制御部８０では、乾電池６８の電池残量を検出する処理と、検出された乾電池６８の電池残量を送信する処理のみを実行してもよい。この場合、乾電池６８の電池残量が第１しきい値以下である場合に、電池残量低下フラグをＯＮに設定する処理、乾電池６８の電池残量が第２しきい値以上である場合に、電池残量低下フラグをＯＦＦに設定する処理、および電池残量低下フラグの内容を携帯端末１００に送信する処理は、給湯リモコン２００の制御部２１０が行ってもよい（この場合、電池残量低下フラグは給湯リモコン２００のメモリ２１２に格納される）し、管理サーバ３００の制御部３１０が行ってもよい（この場合、電池残量低下フラグは管理サーバ３００の記憶部３２０に格納される）。あるいは、乾電池６８の電池残量が第１しきい値以下である場合に、電池残量低下フラグをＯＮに設定する処理、および乾電池６８の電池残量が第２しきい値以上である場合に、電池残量低下フラグをＯＦＦに設定する処理は、携帯端末１００の制御部１１０が行ってもよい（この場合、電池残量低下フラグは携帯端末１００のメモリ１１２に格納され、携帯端末１００に電池残量低下フラグを送信する処理は省略される）。
【００６４】
上記の実施例では、加熱調理器２から電池残量関連情報を受信して使用者に電池交換関連情報を報知する外部端末として携帯端末１００を用いる場合について説明したが、携帯端末１００の代わりに給湯リモコン２００を外部端末として用いてもよい。この場合、図７のＳ１６において、加熱調理器２の制御部８０は電池残量関連情報を給湯リモコン２００に送信する。また、図８のＳ２２−Ｓ４０の処理は、携帯端末１００の制御部１１０の代わりに、給湯リモコン２００の制御部２１０が実行する。
【００６５】
上記の実施例において、加熱調理器２とＢＴ通信を行い、かつＷｉ−Ｆｉルータ８００とＷｉ−Ｆｉ通信を行う中継装置として、給湯リモコン２００を用いる構成について説明したが、このような中継装置として、給湯リモコン２００の代わりに、加熱調理器２の近傍に設置される機器、例えばレンジフードを用いてもよい。また、加熱調理器２から電池残量関連情報を受信して使用者に電池交換関連情報を報知する外部端末として、携帯端末１００を用いる代わりに、加熱調理器２の近傍に設置される機器、例えばレンジフードを用いてもよい。
【００６６】
以上のように、１またはそれ以上の実施形態に係る通信システム１は、加熱調理器２と、加熱調理器２と通信可能な携帯端末１００（外部端末の例）を備えている。加熱調理器２は、乾電池６８（電池の例）と、乾電池６８の電池残量を検出可能な電池残量検出部７０を備えている。通信システム１は、電池残量検出部７０が検出した電池残量が第１しきい値以下の場合に、電池残量低下フラグがＯＮである電池残量関連情報（電池残量の低下を示す電池残量低下情報の例）を生成する。携帯端末１００は、電池残量低下フラグがＯＮである電池残量関連情報に応じて、買い物リストに加熱調理器２の電池交換で必要な乾電池６８の規格および個数を追加する（電池の交換に関連する電池交換関連情報を報知することの例）。
【００６７】
上記の構成によれば、加熱調理器２の電池残量が第１しきい値以下になった時点で、加熱調理器２の乾電池６８の交換が必要であることを、携帯端末１００を介して使用者に報知することができる。加熱調理器２が電池切れを生じる前に、乾電池６８の交換が必要であることを使用者に報知することができる。
【００６８】
１またはそれ以上の実施形態において、加熱調理器２は、電池残量低下フラグがＯＮである電池残量関連情報を生成した後に、電池残量検出部７０が検出した電池残量が第１しきい値よりも高い第２しきい値以上の場合に、電池残量低下フラグがＯＦＦである電池残量関連情報（電池残量の回復を示す電池残量回復情報の例）を生成する。携帯端末１００は、電池残量低下フラグがＯＦＦである電池残量関連情報に応じて、買い物リストから加熱調理器２の電池交換で必要な乾電池６８の規格および個数を削除する（電池交換関連情報の報知を終了することの例）。
【００６９】
上記の構成によれば、加熱調理器２の乾電池６８の交換が行われて、電池残量が回復した場合に、乾電池６８の交換が必要であることの報知を自動的に終了させることができる。
【００７０】
１またはそれ以上の実施形態において、携帯端末１００は、電池残量低下フラグがＯＦＦである電池残量関連情報に応じて、買い物リストから加熱調理器２の電池交換で必要な乾電池６８の規格および個数を削除した場合に、交換後の乾電池６８の情報に基づいて、推定される次回の電池交換時期に関連する電池交換時期関連情報を報知する。
【００７１】
加熱調理器２の乾電池６８として、同じ規格のものを同じ個数用いる場合であっても、乾電池６８の製造業者や規格の一部である製品種別（例えばアルカリ乾電池、マンガン乾電池・・・）が異なると、乾電池６８の寿命も異なるため、次回の電池交換時期は異なるものとなる。上記の構成によれば、交換後の乾電池６８の情報、例えば製造業者や規格の一部である製品種別に基づいて、次回の電池交換時期を推定し、推定される次回の電池交換時期を使用者に報知するので、使用者の利便性を向上することができる。
【００７２】
１またはそれ以上の実施形態において、携帯端末１００で報知する乾電池交換関連情報は、加熱調理器２で使用する乾電池６８の規格および個数に関する情報を含んでいる。
【００７３】
上記の構成によれば、使用者は加熱調理器２の乾電池６８の交換のために、どの規格（例えば単１形、単２形、・・・）の乾電池６８を何個用意すればよいのか、容易に把握することができる。使用者の利便性を向上することができる。
【００７４】
１またはそれ以上の実施形態に係る加熱調理器アプリ（プログラムの例）は、加熱調理器２と通信可能な携帯端末１００（外部端末の例）において実行される。加熱調理器２は、乾電池６８（電池の例）と、乾電池６８の電池残量を検出可能な電池残量検出部７０を備えている。加熱調理器アプリは、携帯端末１００の制御部１１０（コンピュータの例）に、電池残量低下フラグがＯＮである電池残量関連情報（電池残量の低下を示す電池残量低下情報の例）に応じて、買い物リストに加熱調理器２の電池交換で必要な乾電池６８の規格および個数を追加する処理（電池の交換に関連する電池交換関連情報を報知する処理の例）を実行させる。
【００７５】
上記の構成によれば、加熱調理器２が電池切れを生じる前に、乾電池６８の交換が必要であることを使用者に報知することができる。
【００７６】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００７７】
１        ：通信システム
２        ：加熱調理器
４        ：本体
４ａ      ：前面
６        ：天板
８ａ      ：五徳
８ｂ      ：五徳
８ｃ      ：五徳
１０ａ    ：コンロバーナ
１０ｂ    ：コンロバーナ
１０ｃ    ：コンロバーナ
１２ａ    ：温度センサ
１２ｂ    ：温度センサ
１２ｃ    ：温度センサ
２０      ：グリル庫
２１      ：グリルバーナ
２２      ：グリル扉
２４      ：コンロ操作部
２６      ：グリル操作部
４０      ：電源スイッチ
４２ａ    ：加熱量操作部
４２ｂ    ：加熱量操作部
４２ｃ    ：加熱量操作部
４４      ：パネル操作部
４６      ：コンロ表示部
４８ａ    ：コンロ設定操作部
４８ｂ    ：コンロ設定操作部
４８ｃ    ：コンロ設定操作部
６０      ：加熱量操作部
６２      ：パネル操作部
６４      ：グリル表示部
６６      ：グリル設定操作部
６８      ：乾電池
６８'     ：乾電池
６８''    ：乾電池
７０      ：電池残量検出部
７２      ：ＢＴＩ／Ｆ
８０      ：制御部
８２      ：メモリ
１００    ：携帯端末
１０２    ：表示部
１０４    ：操作部
１０６    ：ＢＴＩ／Ｆ
１０８    ：Ｗｉ−ＦｉＩ／Ｆ
１１０    ：制御部
１１２    ：メモリ
２００    ：給湯リモコン
２０２    ：表示部
２０４    ：操作部
２０６    ：ＢＴＩ／Ｆ
２０８    ：Ｗｉ−ＦｉＩ／Ｆ
２１０    ：制御部
２１２    ：メモリ
３００    ：管理サーバ
３１０    ：制御部
３２０    ：記憶部
５００    ：レシピサーバ
５１０    ：制御部
５２０    ：記憶部
６００    ：アプリサーバ
６１０    ：制御部
６２０    ：記憶部
７００    ：インターネット
８００    ：Ｗｉ−Ｆｉルータ
【図１】
2020112319.tif 000003
【図２】
2020112319.tif 000004
【図３】
2020112319.tif 000005
【図４】
2020112319.tif 000006
【図５】
2020112319.tif 000007
【図６】
2020112319.tif 000008
【図７】
2020112319.tif 000009
【図８】
2020112319.tif 000010
【図９】
2020112319.tif 000011